(57)【要約】【課題】収縮らせん放電を恒常的に発生させたり、放電形態を切換えることができる放電ランプ装置を提供する。【解決手段】放電点灯装置は、放電ランプ（１）と、前記放電ランプに高周波電圧を供給する高周波点灯回路（１０）とを有する。前記放電ランプは、放電媒体が封入された透光性気密容器の両端に電極を備え、少なくとも一方の電極は前記透光性気密容器の外面に設けられ、前記放電電極に高周波電圧を印加したとき前記放電ランプの放電経路に概ねらせん状の不規則な周期的変化を恒常的に発生可能とされる。高周波点灯回路は、前記放電ランプに印加する高周波電圧のデューティを可変可能である。大きなデューティの高周波電圧が印加された放電ランプの放電経路は直線状に近い状態とされ、小さなデューティの高周波電圧が印加された放電ランプの放電経路は概ねらせん状の不規則な周期的変化を恒常的に生ずる状態とされる。【選択図】図１
2008287914.tif 000002
【特許請求の範囲】
【請求項１】
放電ランプと、前記放電ランプに高周波電圧を供給する点灯回路とを有し、
前記放電ランプは、放電媒体が封入された透光性気密容器の両端に電極を備え、少なくとも一方の電極は前記透光性気密容器の外面に設けられ、前記点灯回路より特定波形の高周波電圧が前記放電電極に印加されたとき、前記放電ランプの放電経路に概ねらせん状の不規則な周期的変化が恒常的に発生可能とされる、放電点灯装置。
【請求項２】
前記点灯回路は、高周波電圧波形のデューティ可変機能を有し、選択されるデューティに応じて、前記放電ランプの放電経路を直線状に近い状態から、概ねらせん状の不規則な周期的変化を恒常的に生ずる状態に変化させることができる、請求項1記載の放電点灯装置。
【請求項３】
前記点灯回路は、前記放電ランプに印加する高周波電圧の電圧レベル可変機能を有し、選択される電圧レベルに応じて、前記放電ランプの放電経路における前記概ねらせん状の不規則な周期的変化の変化速度を変化させることができる、請求項１又は２記載の放電点灯装置。
【請求項４】
前記放電ランプは、前記放電媒体として、透光性気密容器の内部に希ガス単体又は希ガスの混合ガスが４．０×１０２Ｐａ〜２．７×１０４Ｐａの圧力で封入され、
前記点灯回路は、２０ＫＨｚ〜１５０ＫＨｚの高周波電圧を上記電極間に供給し、ランプの放電電流密度を１．０×１０−３〜２．８×１０−１ Ａ／ｃｍ2とする、請求項1記載の放電点灯装置。
【請求項５】
上記放電ランプは前記放電媒体として希ガスに適量の水銀が封入されている、請求項４記載の放電点灯装置。
【請求項６】
前記放電ランプは、前記透光性気密容器の内面に蛍光体が塗布された請求項４記載の放電点灯装置。
【請求項７】
前記放電ランプの放電電流は、前記外面に設けられた電極の前記透光性気密容器の外面に接する表面積当たり５．２×１０−５〜１．６×１０−１ Ａ／ｃｍ2である、請求項４記載の放電点灯装置。
【請求項８】
前記放電ランプの透光性気密容器の少なくとも一端の外面に設けられる電極が２個以上である、請求項４記載の放電点灯装置
【発明の詳細な説明】
【技術分野】
【０００１】
本発明は、希ガス、水銀等を放電媒体とする放電ランプに、概ねらせん状の不規則な周期的変化を生ずる放電（単に収縮らせん放電とも記す）を恒常的に発生させる放電点灯技術に関し、店舗、ゲーム機、看板等の演出照明用の放電点灯装置に関する。
【背景技術】
【０００２】
ガラス管内に希ガスと水銀を封入し、ガラス管の両端に封着した電極に高電圧を印加して放電させ、励起された水銀の発光によってガラス管内面に塗布された蛍光体を励起して、白色光を外部に放射する放電ランプでは、一般照明用の熱陰極蛍光ランプや液晶ディスプレイのバックライトに使われる冷陰極蛍光ランプなどが知られている。従来の冷陰極蛍光ランプにおいて、そのガラス管から成る放電容器は両端に電極を封着してあり、放電容器の内部にはネオンとアルゴンの混合ガスおよび適量の水銀が封入されている。また放電容器のガラス管内面には蛍光体が塗布されている。電極には外部リード線が接続されている。
【０００３】
外部リード線にランプ点灯回路から電圧を印加すると、電極の間で放電を開始し、放電により水銀が励起され、励起された水銀からの紫外線放射によって蛍光体から可視光が放電容器の外部に放射される。ここにおいて、放電容器内の放電は放電容器の壁近くまで広がり、いわゆる拡散型陽光柱を形成している。
【０００４】
本発明完成後の先行技術調査によって抽出された特許文献１には、キセノンを封入した放電ランプにおいて、一端に封着した内部電極とランプの容器の外周面に接触して巻き回されたコイル状の外面電極との間に矩形波交流電圧を印加すると、矩形波点灯の正負の周期によって、陽光柱が収縮したり、拡散したりすることが示されている。液晶バックライト等にこの放電ランプを使用する場合には、上記収縮陽光放電は不適切であり、負の帯電傾向を有する蛍光体を放電ランプの透光性気密容器の内面に塗布することにより、上記収縮陽光柱を抑制することが提案されている。
【０００５】
さらに抽出された特許文献２には、楕円球形状のランプ容器の一端に内部電極を設け、他端に外面電極を設けて、内部に封入した希ガスあるいは水銀が高電圧印加によって、放電が上記内部電極と外面電極の間を楕円球状内面に沿って線状放電が繋がることが示されている。
【０００６】
さらに抽出された特許文献３には、遊技装置の放電管としてその内部を多数の光が屈曲しながら流れる屈曲発光形態を有するものを採用して、遊技者に視覚的楽しみを与えることができるようにした技術が記載される。
【０００７】
【特許文献１】特開２００４−１０３３２４号公報
【特許文献２】特開２００５−３４２０４４号公報
【特許文献３】特開２００５−２８７７１７号公報
【発明の開示】
【発明が解決しようとする課題】
【０００８】
従来、収縮陽光柱は、例えば、ランプの真空リークや真空排気不足によって管内に不純ガスが多量に存在するときに発生したり、また上記公知例に示したように特異な点灯条件のみの時発生するものであった。このような収縮放電は、通常の照明には利用できず、そのため収縮陽光柱の発生を極力抑え、拡散陽光柱を作ることに技術を傾注してきた。
【０００９】
近年、光の利用が多方面に広がるにつれて、収縮らせん放電の用途が店舗、ゲーム機、看板などの演出照明の分野で開けてきた。しかしながら特許文献３に記載されるように単に屈曲発光形態を有するものが提供されているに過ぎない。従来特異現象であった収縮放電を恒常的に発生させ、かつ放電形態を概ねらせん状にして瞠目性を持たせるには、その発光形態を切換え可能にすることが効果的であり、また、収縮らせん放電を恒常的に安定して得ることができるようにするためのランプのパラメータを明確化することがそのようなランプの歩留まり高くする上で必要なことが、本発明者によって見出された。
【００１０】
本発明の目的は、収縮らせん放電の放電形態を切換えたり、又は安定的に発生させることができる放電点灯装置を提供することにある。
【００１１】
本発明の前記並びにその他の目的と新規な特徴は本明細書の記述及び添付図面から明らかになるであろう。
【課題を解決するための手段】
【００１２】
本願において開示される発明のうち代表的なものの概要を簡単に説明すれば下記の通りである。
【００１３】
本発明に係る放電点灯装置は、放電ランプと、前記放電ランプに高周波電圧を供給する点灯回路とを有する。前記放電ランプは、放電媒体が封入された透光性気密容器の両端に電極を備え、少なくとも一方の電極は前記透光性気密容器の外面に設けられ、前記点灯回路より特定波形の高周波電圧が前記放電電極に印加されたとき、前記放電ランプの放電経路に概ねらせん状の不規則な周期的変化が恒常的に発生可能とされる。
【００１４】
本発明の一つの具体的な例とし、前記点灯回路は、高周波電圧波形のデューティ可変機能を有し、選択されるデューティに応じて、前記放電ランプの放電経路を直線状に近い状態から、概ねらせん状の不規則な周期的変化を恒常的に生ずる状態に変化させることができる。
【００１５】
更に別の具体的な例として、前記点灯回路は、前記放電ランプに印加する高周波電圧の電圧レベル可変機能を有し、選択される電圧レベルに応じて、前記放電ランプの放電経路における前記概ねらせん状の不規則な周期的変化の変化速度を変化させることができる。
【００１６】
本発明の別の具体的な例として、前記放電ランプは、前記放電媒体として、透光性気密容器の内部に希ガス単体又は希ガスの混合ガスが４．０×１０２Ｐａ〜２．７×１０４Ｐａの圧力で封入され、前記点灯回路は、２０ＫＨｚ〜１５０ＫＨｚの高周波電圧を上記電極間に供給し、ランプの放電電流密度を１．０×１０−３〜２．８×１０−１ Ａ／ｃｍ2とされる。
【００１７】
また、上記放電ランプは前記放電媒体として希ガスに適量の水銀が封入されている。前記放電ランプには、前記透光性気密容器の内面に蛍光体が塗布されていてもよい。
【００１８】
前記放電ランプの放電電流は、前記外面に設けられた電極の前記透光性気密容器の外面に接する表面積当たり５．２×１０−５〜１．６×１０−１ Ａ／ｃｍ2である。
【００１９】
更に、前記放電ランプの透光性気密容器の少なくとも一端の外面に設けられる電極が２個以上であってもよい。
【発明の効果】
【００２０】
本願において開示される発明のうち代表的なものによって得られる効果を簡単に説明すれば下記のとおりである。
【００２１】
すなわち、デューティの選択又は電圧切換えによって収縮らせん放電の放電形態を選択することができる。
【００２２】
また、希ガスの圧力、放電電流密度を最適に規定することにより、収縮らせん放電を恒常的に安定化させることが容易である。
【発明を実施するための最良の形態】
【００２３】
図１に本発明に係わる放電ランプ１を軸断面図で示す。同図において、透光性容器としてのガラス管２の両端に電極を備えているが、その一つは内部電極３であり、ガラス管２の端部に封着して外部リード線４と接続し、他端にはガラス管２の外表面に形成した外面電極５であり、リード線６に接続される。ガラス管１の内部には希ガスを封入し、ガラス管１の内面に蛍光体（図示せず）を塗布してある。
【００２４】
ガラス管２の外径は例えば８mm、全長２００mm、内部電極３はニッケルメッキ鉄板にジルコニウム・アルミニウム系粉末が焼結してあり、ゲッター作用を兼ね備えた板状電極である。内部電極３としては、上記板状電極以外に、ニッケルカップ電極やタングステン棒状電極など種々の電極を使用してもよい。外面電極５はガラス管２の端部に無電解ニッケルめっきによって幅１０mmの帯状でガラス管の外面周に形成され、リード線６が付けてある。外面電極５の形成は、他に溶融半田をディップ法で付けたり、カーボンペーストを塗布してもよい。本発明において、上記で電極の一つを内部電極とし、他を外面電極とするのは、収縮らせん放電を実用的に簡易に実現することができるからである。即ち電極の一つが内部電極３であることで、放電に必要な電子を得るための電圧が適度に低くなるからである。また、他の電極を外面電極５とするのは、外面電極５の内側に位置するガラス壁が誘電体であるため、点灯周期によって表面に正、負の帯電層が形成され、陽光柱からの電子や陽イオンの出入りが容易となり、かつ十分な面を有する帯電層のいずれの箇所も同等な電子放出能力を有するので、電子放出点の移動が容易である結果、収縮らせん放電の起点が多数できる利点となっている。点灯回路に電力の余裕があれば、電極３，５の両者を外面電極にしてもよいことは云うまでもない。
【００２５】
本発明者らは、収縮らせん放電を恒常的に発生させる放電ランプおよび高周波点灯回路に関して種々実験を行った結果、収縮らせん放電を恒常的に安定して発生させるには、少なくとも一つの外面電極、希ガスの圧力、放電電流密度、高周波点灯における周波数、休止期間等が要因であることを見出した。即ち、少なくとも一つの外面電極を有し、希ガスを４．０×１０２Ｐａ〜２．７×１０４Ｐａの圧力で封入し、高周波点灯回路から２０KHz〜１５０KHzの高周波電圧を上記電極間に供給し、ランプの放電電流密度を１．０×１０−３〜２．８×10−１ Ａ／ｃｍ2とすることである。
【００２６】
収縮放電を作る上で希ガス種類および圧力が選定される。ヘリウム、ネオン、アルゴン、クリプトン、キセノンの単体ガスあるいはこれらの混合ガスのいずれでもよいが、クリプトンあるいはキセノンが最も適当である。これらのガスのイオン化電圧が低いので、電離が容易であり、また原子量が大きいので、陽光柱の電子のガラス管壁方向への拡散が抑えられ、収縮放電が得られ易い。なお、必要に応じて水銀を封入してもよい。また、ガラス管内面に蛍光体を塗布することにより、内部の放電発光と蛍光体の発光を組み合わせて、発光色のバラエティに富んだ放電ランプを製作することができる。
【００２７】
希ガスの圧力は４．０×１０２Ｐａ〜２．７×１０４Ｐａがよいが、簡易な高周波点灯回路を使用する上では、１２×１０３Ｐａ〜２０×１０３Ｐａの近辺が最もよい。上記圧力が４．０×１０２Ｐａより低いと、放電の陽光柱が広がり、収縮状態になり難い。また、圧力が２．７×１０４Ｐａ以上になると、ランプの放電開始電圧が高くなり、実用的に好ましくない。
【００２８】
尚、希ガスの圧力の高低が放電におけるらせんの移動速度に影響する効果もある。圧力が高いと、らせんの移動が速く、圧力が低いと、らせんの移動が緩やかになる。
【００２９】
ランプ点灯には高周波点灯回路から２0KHz〜１5０KHzの高周波電圧を上記内部電極３と外面電極５の間に供給し、ランプの放電電流密度を１．０×１０−３〜２．８×１０−１ Ａ／ｃｍ2とする。
【００３０】
収縮らせん放電の発生機構に関しては未だ詳細には解明されていないが、収縮した放電プラズマの陽光柱とガラス管の内面の帯電との関係によると考えられる。即ち電極から放出された電子は希ガス原子をイオン化して、陽イオンを作り、陽光柱プラズマを形成するが、希ガスの圧力が高いために陽光柱が収縮し、管内のガスの流れやガラス管壁の帯電によって、陽光柱のゆれが発生する。ガラス管壁の帯電は電子の壁方向拡散によるもので、ガラス壁に局部的な負電荷を形成する。陽光柱がゆれて壁に近づくと壁に電子が溜まり、その結果、陽光柱プラズマはガラス管壁の反撥を受けて、他方向に反転し、ガラス管の他面に進み、再び他面の壁電荷に反撥されて反転する。この繰り返しによって、陽光柱は前方への力を受けながら反転するため、概ねらせん状となって他方の電極に到達する。次にランプに印加されている高周波電圧の周期が変わると、周期の反転が速い場合、ガラス管壁の負電荷が残っており、陽光柱は同様にらせんを繰り返す。しかし点灯周波数が緩やかである場合は、ガラス管壁に帯電する負電荷は消滅し、場合によって中性に近くなる状況が発生する。その結果、陽光柱からの電子の損失が大きくなり、点灯に必要なランプ電圧が高くなる。
【００３１】
本発明者らは点灯周波数を種々変えて検討したところ、点灯周波数が２０KHz以下になると、ランプ電圧が高く、実用上望ましくない。一方、点灯周波数が１５０KHzを越えると、点灯によるノイズが増えて、実用上望ましくない。
【００３２】
一方、ランプの放電電流密度を１．０×１０−３〜２．８×１０−１ Ａ／ｃｍ2とする。放電電流密度が１．０×１０−３ Ａ／ｃｍ2以下であると、ガラス管壁での電子の消耗が影響して、ランプ電圧が上昇し、やがて高周波点灯回路の開放電圧に近くなり、ランプが立ち消えてしまう。一方、放電電流が２．８×１０−１ Ａ／ｃｍ2を越えると、外面電極のインピーダンスが増え、やはり回路の開放電圧を越えると、ランプが立ち消えるので望ましくない。
【００３３】
上記放電ランプの一端に形成した外面電極５の大きさは放電の電流供給に影響する。放電電流が外面電極５の面積に対して５．２×１０−５〜１．６×１０−１ Ａ／ｃｍ2であることが好ましい。放電電流が外面電極５の接触面積に対し５．２×１０−５Ａ／ｃｍ2以下であると、放電の陽光柱は極めて細く、らせん形状は得られるが、外面電極５からの電子供給が弱く、放電が立ち消える不都合が発生する。また、外面電極５の接触面積が１．６×１０−１ Ａ／ｃｍ2を越えると、放電電流が外面電極５に過度に集中し、電極の過熱を引き起こす。
【００３４】
本発明では、高周波点灯回路による駆動形態を変えることで、同一のランプの放電形状を図１の概ねらせん形状から、図２の概ね直線に近い形状に変えることが出来る。すなわち、上記放電ランプ１を点灯駆動する高周波点灯回路に、放電ランプ１に印加する高周波電圧波形を切換えるデューティ切換え回路を採用し、上記外面電極５と上記内部電極３に上記高周波電圧を印加して、高周波電圧のデューティを変えることにより、ランプの放電発光路が直線状に近い状態から収縮らせん状態に変化可能とする。高周波点灯回路からの高周波電圧のデューティを変えると、電極から放電への電子の供給度合いが変わり、デューティが小さいと電子供給が小さくなり、陽光柱が収縮らせんになり易い。一方、デューティが大きいと、電子流が大きく、陽光柱は太く、うねった直線状に近くなる。
【００３５】
具体的には、図１に示したランプ１において、ガラス管２内にキセノンガスを１３．３×１０３ Ｐａで封入し、特定の高周波電圧を発生する高周波点灯回路からの高圧側を外部リード線４を介して内部電極３と接続し、低圧側をリード線６を介して外面電極５に接続した。周波数を変えてランプ１を点灯したところ、図１に概念的に示した収縮らせん放電が得られ、特に周波数が４０KHzから７０KHz、ランプ電流５mAから８mAの範囲で安定したらせん放電を実現できた。このとき、放電ランプ１に印加する高周波電圧のデューティを変えたところ、図４のようにデューティを形成すると、図３に示すようにらせん放電の輪の形成が頻繁且つ移動が速くなる。これに対し、図５のようにデューティ１００％にすると、陽光柱の発光が強くなると共に、放電経路は図２に示すように緩やかならせん状になり、希ガスの圧力や高周波電圧の周波数によって、概ね直線に近い状態になることがある。この現象は次のような機構によると見られる。デューティが小さいと、ランプ電流が小さくなり、壁電荷の影響を受け易く、陽光柱は引き寄せられたり、反撥を繰り返えしたりすることによって圧縮鎖線放電を生ずる。一方、デューティが大きいと、ランプ電流が大きく、ガラス壁の負電荷が大きく、陽光柱は中心に安定する傾向となる。高周波電圧のデューティとは、所定の周期に対する高周波区間の割合を意味し、その値はＡ／Ｂ（％）となる。
【００３６】
さらに、本発明では高周波点灯回路による高周波電圧の電圧レベルを可変可能にすることにより、らせんの移動速度を変えることができるようにする。すなわち、上記放電ランプ１を点灯駆動する高周波点灯回路に、高周波電圧の電圧レベルを切換え可能とする電圧切換え回路を採用する。高周波点灯回路の低圧側配線を上記外面電極５に接続し、高圧側配線を他方の電極３に接続して、上記高周波点灯回路の出力電圧を可変することにより、ランプの放電発光における収縮らせんの移動速度を変えることができる。所定の放電電流で発生した収縮らせんの輪がガラス管の一端から他端に流れるように到達する速度が高周波点灯回路から供給される高周波電圧の電圧レベルに影響される。この現象は、らせんの輪に軸方向電界が作用している結果と考えられる。
【００３７】
図６には本発明に係る放電点灯装置の一例が示される。高周波点灯回路１０は、インバータ制御回路１１の出力を受けてスイッチングされるパワーＭＯＳＦＥＴのようなスイッチング素子（ＰｏｗＭＯＳ）１２で高周波電力を形成し、これをトランス１３で昇圧してランプ（ＬＡＭＰ）１の駆動に必要な高周波電圧を生成する。インバータ制御回路１１はドライバ（ＤＲＶ）１５によってスイッチング素子１２のスイッチング制御信号Ｓ＿ｓｗを生成する。スイッチング制御信号Ｓ＿ｓｗの周波数が高周波電圧のレベルを決定し、スイッチング制御信号Ｓ＿ｓｗのデューティが高周波電圧のデューティを決定する。インバータ制御回路１１はスイッチング制御信号Ｓ＿ｓｗを生成するドライバロジック回路（ＤＲＶ）１４を有し、コンパレータ（ＣＭＰ１）１５の出力とコンパレータ（ＣＭＰ２）１６の出力に基づいてスイッチング制御信号Ｓ＿ｓｗを生成する。コンパレータ１５は三角波等のリファレンス電圧信号を生成する発振回路（ＯＳＣ１）１７の出力を電圧検出回路（ＶＤＴＣ）１８の出力電圧と比較し、一致する周期の周波数をスイッチング制御信号Ｓ＿ｓｗの周波数とする。電圧検出回路１８はトランス１３の２次側出力電圧を抵抗（ＲＥＳ）１９と可変抵抗（ＶＲＥＳ）２０により抵抗分圧を行って検出する。従って検出電圧レベルは可変抵抗２０の抵抗値に従ってか変移され、結果として、駆動パルス電圧の電圧レベルを可変化能に設定することができる。コンパレータ１６は三角波等の電圧信号を生成する発振回路（ＯＳＣ２）２１の出力をリファレンス制御電圧Ｖｃｎｔと比較し、一致する周期の周波数をスイッチング制御信号Ｓ＿ｓｗのデューティとする。発振回路１７の発振周波数が数１０ｋＨｚ程度とすると、発振回路２１の発振周波数は数１００Ｈｚ程度とされる。リファレンス電圧Ｖｃｎｔは可変可能な電圧であり、電圧を高くすればスイッチ制御信号Ｓ＿ｓｗのデューティが大きくなり、低くすればデューティが小さくされる。その結果として、駆動電圧のデューティを可変化能に設定することができる。例えば高周波電圧のデューティを７０乃至８０%にすると、らせんは頻繁に発生し、かつ極めて早い移動を示すものである。
【００３８】
更に本発明では、図７に例示されるように、前記放電ランプの透光性気密容器２の少なくとも一端の外面に設けられる電極を２個以上とすることで、本発明の効果を更に発揮させることができる。即ち、例えば一端に外面に２個の電極５，７を設けた場合、２個をスイッチ８で連結して気密容器２の他端の電極３との間で高周波電圧を印加したとき、放電電流が比較的大きくなり、その結果放電経路のらせんが太く、緩やかな移動を示す。これに対し、スイッチ８で２個の連結を切り離し、１個の外面電極５の動作を行わせると、放電電流が比較的小さくなることにより、らせん放電が頻繁且つその移動速度が速くなる。したがって、外面に設けた複数の電極の電気的接続を選択的に切断可能な構成を採用することにより、らせんの状態を簡便に変えることができ、放電状態の変化に富んだ放電点灯装置を実現することができる。
【００３９】
また、図８に例示されるように外面電極５を、例えばカーボンペーストやニッケルめっきで形成した気密容器２の端部を覆う構造の外面電極５Ａ、更に、気密容器２の他端においても外面電極９を設けて内部電極３と接続することにより、これら電極を端子台のソケット（図示せず）に直接挿入することも可能であり、その際にはリード線６を取り付けることを要しない。
【００４０】
以上本発明者によってなされた発明を実施形態に基づいて具体的に説明したが、本発明はそれに限定されるものではなく、その要旨を逸脱しない範囲において種々変更可能であることは言うまでもない。
【００４１】
例えば、上記の本発明の具体例では、ランプ形状は直管状であったが、本発明はこれに限定されるものではなく、円形、U字管状、コの字管状など各種形状のランプに適用できることは云うまでもない。また、上記本発明の具体例では、放電ランプの管径を外径８mmとして示したが、本発明はこれに拘るものでなく、管径が８mmより大きくとも、あるいは小さくとも、ランプおよび点灯回路が本発明の要件の範囲であれば、同様な収縮らせん放電を得ることが出来る。さらに、上記ではキセノンをガラス管内に封入した例を示したが、本発明ではヘリウム、ネオン、アルゴン、クリプトンなど他の希ガスの単体あるいはネオン/キセノン、アルゴン/キセノン、アルゴン/クリプトンなど混合ガスを使用しても同様な結果が得られるものである。また上記に示した点灯回路は一例に過ぎず、高周波電圧を発生し、周波数、電圧、電流の制御機能を有すれば、同様な装置を採用可能であることは言うまでもない。
【図面の簡単な説明】
【００４２】
【図１】図１は本発明に係る放電点灯装置に採用される放電ランプを一つの収縮らせん放電形態をもって示した軸断面図である。
【図２】図２は本発明に係る放電点灯装置に採用される放電ランプを一つの緩やかなゆれ放電形態をもって示した軸断面図である。
【図３】図３は高周波電圧波形のデューティを生えた場合にらせん放電の輪の形成が頻繁且つ移動が速くなる放電形態をもって示した本発明に係る放電点灯装置に採用される放電ランプの軸断面図である。
【図４】図４はデューティを変えた場合の高周波電圧の波形を例示する波形図である。
【図５】図５はデューティ１００％の高周波電圧の波形を例示する波形図である。
【図６】図６は本発明に係る放電点灯装置を全体的に例示するブロック図である。
【図７】図７はスイッチを介して複数の外面電極を直列に配置した構造の放電ランプを示す軸断面図である。
【図８】図８はキャップ状の外面電極を採用した構造の放電ランプを示す軸断面図である。
【符号の説明】
【００４３】
１，１Ａ，１Ｂ  放電ランプ
２  ガラス管
３  内部電極
４  外部リード線
５、７  外面電極
５Ａ  キャップ状の外面電極
６  リード線
８  スイッチ
１０  高周波点灯回路
１１  インバータ制御回路
１２  スイッチング素子（ＰｏｗＭＯＳ）
１３  トランス
１５  ドライバ（ＤＲＶ）
Ｓ＿ｓｗ  スイッチング制御信号
１４  ドライバロジック回路（ＤＲＶ）
１５  コンパレータ（ＣＭＰ１）
１６  コンパレータ（ＣＭＰ２）
１７  発振回路（ＯＳＣ１）
１８  電圧検出回路（ＶＤＴＣ）
２０  可変抵抗（ＶＲＥＳ）
２１  発振回路（ＯＳＣ２）
Ｖｃｎｔ  リファレンス電圧
【図１】
2008287914.tif 000003
【図２】
2008287914.tif 000004
【図３】
2008287914.tif 000005
【図４】
2008287914.tif 000006
【図５】
2008287914.tif 000007
【図６】
2008287914.tif 000008
【図７】
2008287914.tif 000009
【図８】
2008287914.tif 000010